(57)【要約】【課題】電線・ケーブルの導体が挿入された接続筒部をダイスでかしめて接続する際にダイスで接続筒部の所定の位置をかしめることができるように、ダイスと接続筒部との位置合わせを適切かつ容易に行うことが可能な接続筒部を提供する。【解決手段】挿入された電線・ケーブル５０の導体５１ごとかしめられることで導体５１と接続される接続筒部１０において、接続筒部１０の表面１０Ａには、導体５１が挿入された接続筒部１０をかしめるダイス４０の受け側ダイス４２の内壁面４２Ａに設けられた凸部４３又は凹部４４と係合する凹部１１又は凸部１２が設けられている。【選択図】図２
2019110104.tif 000002
【特許請求の範囲】
【請求項１】
挿入された電線・ケーブルの導体ごとかしめられることで前記導体と接続される接続筒部において、
前記接続筒部の表面には、前記導体が挿入された前記接続筒部をかしめるダイスの内壁面に設けられた凸部又は凹部と係合する凹部又は凸部が設けられていることを特徴とする接続筒部。
【請求項２】
前記ダイスの内壁面に設けられた凸部又は凹部及び前記接続筒部の表面に設けられた凹部又は凸部は、点状、長円状又は帯状に設けられていることを特徴とする請求項１に記載の接続筒部。
【請求項３】
前記接続筒部の表面に複数の前記凹部又は凸部が設けられており、
複数の前記凹部又は凸部は、押し込み側ダイスのセンターの移動方向と前記表面との交点を中心として点対称の位置にそれぞれ設けられていることを特徴とする請求項１又は請求項２に記載の接続筒部。
【請求項４】
前記接続筒部の表面に設けられた前記凹部又は凸部は、圧着用の前記ダイスの押し込み部により押し込まれる位置を避けた位置に設けられていることを特徴とする請求項１から請求項３のいずれか一項に記載の接続筒部。
【請求項５】
前記電線・ケーブルの導体の各サイズのうち、少なくとも隣り合う前記サイズの前記導体と接続される前記接続筒部同士では、その表面に設けられる前記凹部又は凸部の大きさ、形状、位置、数のうち少なくとも１つが互いに異なっていることを特徴とする請求項１から請求項４のいずれか一項に記載の接続筒部。
【請求項６】
請求項１から請求項５のいずれか一項に記載された接続筒部を備えることを特徴とする端子。
【請求項７】
請求項１から請求項５のいずれか一項に記載された接続筒部を備えることを特徴とする導体接続管。
【請求項８】
挿入された電線・ケーブルの導体ごと接続筒部をかしめることで前記導体と前記接続筒部とを接続するダイスにおいて、
前記ダイスの内壁面には、前記接続筒部の表面に設けられた凹部又は凸部と係合する凸部又は凹部が設けられていることを特徴とするダイス。
【請求項９】
前記ダイスの内壁面に設けられた前記凸部又は凹部は、かしめられて変形した前記接続筒部の凹部又は凸部に食い込まない形状に形成されていることを特徴とする請求項８に記載のダイス。
【請求項１０】
前記ダイスの内壁面に設けられた前記凸部又は凹部の表面の任意の点における法線ベクトルと前記接続筒部の取り外し方向とのなす角が９０°以下であることを特徴とする請求項９に記載のダイス。
【請求項１１】
前記ダイスは、圧縮用のダイスであり、
前記ダイスの内壁面に設けられた前記凸部又は凹部は、前記ダイスの両端部から、かしめる際の重ね代の半分の長さだけ内側の位置にそれぞれ設けられていることを特徴とする請求項８から請求項１０のいずれか一項に記載のダイス。
【請求項１２】
前記ダイスは、六角圧縮用のダイスであり、
前記ダイスの内壁面に設けられた前記凸部又は凹部は、前記ダイスの両端部から、前記ダイス幅の１／６だけ内側の位置にそれぞれ設けられていることを特徴とする請求項１１に記載のダイス。
【請求項１３】
前記ダイスのうち、少なくとも隣り合うサイズの前記導体と前記接続筒部との接続に用いられる前記ダイス同士では、その内壁面に設けられる前記凸部又は凹部の大きさ、形状、位置、数のうち少なくとも１つが互いに異なっていることを特徴とする請求項８から請求項１２のいずれか一項に記載のダイス。
【請求項１４】
挿入された電線・ケーブルの導体ごとかしめられることで前記導体と接続される接続筒部、及び前記導体が挿入された前記接続筒部をかしめるダイスにおいて、
前記接続筒部の表面には、前記ダイスの内壁面に設けられた凸部又は凹部と係合する凹部又は凸部が設けられており、
前記ダイスの内壁面には、前記接続筒部の表面に設けられた前記凹部又は凸部と係合する前記凸部又は凹部が設けられていることを特徴とする接続筒部及びダイス。
【請求項１５】
電線・ケーブルの導体と端子又は導体接続管とを接続する接続構造において、
前記端子又は前記導体接続管の接続筒部の表面に凹部又は凸部が形成されており、
前記凹部又は凸部は、圧着用のダイスにより前記接続筒部が挿入された電線・ケーブルの導体ごとかしめられる際に前記圧着用のダイスの押し込み部により押し込まれた位置を避けた位置に設けられていることを特徴とする接続構造。
【請求項１６】
ダイスを用いて接続筒部と電線・ケーブルの導体とを接続する施工方法において、
表面に凹部又は凸部が設けられた前記接続筒部に前記導体を挿入し、
前記接続筒部を、内壁面に凸部又は凹部が設けられた前記ダイスに、前記接続筒部の前記凹部又は凸部と前記ダイスの前記凸部又は凹部とが係合する状態でセットし、
前記ダイスで、挿入された前記導体ごと前記接続筒部をかしめられることで前記接続筒部と前記導体とを接続することを特徴とする施工方法。
【発明の詳細な説明】
【技術分野】
【０００１】
本発明は、接続筒部、端子、導体接続管、ダイス、接続構造及び施工方法に関する。
【背景技術】
【０００２】
電線・ケーブルの導体を端子台やブレーカー等の盤内の設備等につなぐ際、通常、導体の先端に端子を接続してからつなぎ込むようにしてつなぐ。そして、電線・ケーブルの導体に端子を接続する際には、端子の接続筒部に導体を挿入し、ダイスで、挿入した電線・ケーブルの導体ごと接続筒部をかしめて接続筒部と導体とを電気的、機械的に接続することで、電線・ケーブルの導体と端子とを電気的、機械的に接続する。
【０００３】
また、電線・ケーブルを延長する際には、両側に接続筒部を有する導体接続管（導体接続管自体が接続筒部であると言ってもよい。）が使用される。そして、接続する２本の電線・ケーブルの導体の各先端を導体接続管の両端の接続筒部にそれぞれ挿入し、導体接続管を所定の手順でかしめることで、各導体と導体接続管とを電気的、機械的に接続して電線・ケーブルが延長される。
【０００４】
かしめる方法には、接続筒部を局部的にかしめる圧着と、接続筒部や導体接続管を全体的にかしめる圧縮とがある。そして、接続筒部をかしめる場合には、挿入する導体のサイズ（導体断面積［ｍｍ２］）に見合ったダイスを選定し、導体が挿入された接続筒部の指定の位置をかしめるようにする。これは、圧着の場合も圧縮の場合も同様である（圧着作業の例としては非特許文献１等参照、圧縮作業の例としては非特許文献２等参照、圧縮作業における不具合の例としては非特許文献３等参照）。
【０００５】
そして、電線・ケーブルの導体と端子や導体接続管の接続筒部とをかしめて接続させる際に、それらを適切にかしめて電気的、機械的に適切に接続させるようにするために、従来から種々の工夫がなされている（例えば特許文献１〜３等参照）。
【先行技術文献】
【特許文献】
【０００６】
【特許文献１】特開２０１２−２４３７０５号公報
【特許文献２】特開平１０−０２２０４０号公報
【特許文献３】実開昭５９−３９８７０号公報
【非特許文献】
【０００７】
【非特許文献１】株式会社泉精器製作所，「充電油圧式多機能工具  ＲＥＣ−Ｌｉ２００Ｍ／ＲＥＣ−Ｌｉ２０５Ｍ」取扱説明書，ｐ．１２〜１３
【非特許文献２】一般社団法人日本電力ケーブル接続技術協会，「６６００Ｖ架橋ポリエチレン絶縁電力ケーブル用テープ巻形直線接続部」（ＪＣＡＡ  Ｆ  ４２０１−３）
【非特許文献３】一般社団法人日本電力ケーブル接続技術協会，テクニカルレビュー「電力ケーブル接続部を完全にお使い頂くために（施工・工事編その３）」
【発明の概要】
【発明が解決しようとする課題】
【０００８】
ところで、電線・ケーブルの導体と端子や導体接続管の接続筒部とを接続する際、上記のように、導体が挿入された接続筒部の指定の位置をダイスでかしめて圧着したり圧縮したりすることが必要である。しかし、現状では、現場の作業員が自らの経験や勘に基づいて接続筒部の所定の位置をダイスでかしめているため、実際にダイスでかしめた位置が所定の位置からずれる場合がある。
【０００９】
そして、かしめた位置が所定の位置からずれて、導体と接続筒部とが電気的、機械的に接触する範囲が、所定の位置をかしめた場合よりも狭くなると、使用中に導体が端子や導体接続管から抜けてしまったり、端子や導体接続管の部分で所定の性能を得ることができなくなったり、導体と端子や導体接続管との接触抵抗の増大により使用中（すなわち通電中）に発熱に至る場合がある。
【００１０】
また、例えば、圧着により電線・ケーブルの導体と端子や導体接続管とを接続する際にダイスでかしめる位置が所定の位置からずれると、押し込み側ダイスの押し込み部によって接続筒部が押し込まれる際にせん断が生じ、接続筒部が割れてしまう場合がある。
【００１１】
さらに、例えば、圧縮により電線・電線・ケーブルの導体と端子や導体接続管とを接続する際にダイスでかしめる位置が所定の位置からずれる場合も問題が生じ得る。すなわち、例えば六角圧縮の場合、端子では１／３重ねで羽子板部側から電線・ケーブル側に向かって、導体接続管では同じく１／３重ねで中央から左右交互に圧縮していくが、例えば、次の圧縮をする際に、誤って１／３重ねずに間隔をあけて圧縮すると、所定の接触抵抗が得られなくなる場合がある。また、圧縮後の導体接続管の表面にバリができてしまい、その上に形成する半導電層や絶縁層に損傷を与えたり、さらにはバリを基点に絶縁破壊を起こす可能性もある。
【００１２】
本発明は、上記の問題点を鑑みてなされたものであり、電線・ケーブルの導体が挿入された接続筒部をダイスでかしめて接続する際にダイスで接続筒部の所定の位置をかしめることができるように、ダイスと接続筒部との位置合わせを適切かつ容易に行うことが可能な接続筒部、端子、導体接続管、ダイス、接続構造及び施工方法を提供することを目的とする。
【課題を解決するための手段】
【００１３】
前記の問題を解決するために、請求項１に記載の発明は、挿入された電線・ケーブルの導体ごとかしめられることで前記導体と接続される接続筒部において、
前記接続筒部の表面には、前記導体が挿入された前記接続筒部をかしめるダイスの内壁面に設けられた凸部又は凹部と係合する凹部又は凸部が設けられていることを特徴とする。
【００１４】
請求項２に記載の発明は、請求項１に記載の接続筒部において、
前記ダイスの内壁面に設けられた凸部又は凹部及び前記接続筒部の表面に設けられた凹部又は凸部は、点状、長円状又は帯状に設けられていることを特徴とする。
【００１５】
請求項３に記載の発明は、請求項１又は請求項２に記載の接続筒部において、
前記接続筒部の表面に複数の前記凹部又は凸部が設けられており、
複数の前記凹部又は凸部は、押し込み側ダイスのセンターの移動方向と前記表面との交点を中心として点対称の位置にそれぞれ設けられていることを特徴とする。
【００１６】
請求項４に記載の発明は、請求項１から請求項３のいずれか一項に記載の接続筒部において、
前記接続筒部の表面に設けられた前記凹部又は凸部は、圧着用の前記ダイスの押し込み部により押し込まれる位置を避けた位置に設けられていることを特徴とする。
【００１７】
請求項５に記載の発明は、請求項１から請求項４のいずれか一項に記載の接続筒部において、
前記電線・ケーブルの導体の各サイズのうち、少なくとも隣り合う前記サイズの前記導体と接続される前記接続筒部同士では、その表面に設けられる前記凹部又は凸部の大きさ、形状、位置、数のうち少なくとも１つが互いに異なっていることを特徴とする。
【００１８】
請求項６に記載の発明は、端子において、
請求項１から請求項５のいずれか一項に記載された接続筒部を備えることを特徴とする。
【００１９】
請求項７に記載の発明は、導体接続管において、
請求項１から請求項５のいずれか一項に記載された接続筒部を備えることを特徴とする。
【００２０】
請求項８に記載の発明は、挿入された電線・ケーブルの導体ごと接続筒部をかしめることで前記導体と前記接続筒部とを接続するダイスにおいて、
前記ダイスの内壁面には、前記接続筒部の表面に設けられた凹部又は凸部と係合する凸部又は凹部が設けられていることを特徴とする。
【００２１】
請求項９に記載の発明は、請求項８に記載のダイスにおいて、
前記ダイスの内壁面に設けられた前記凸部又は凹部は、かしめられて変形した前記接続筒部の凹部又は凸部に食い込まない形状に形成されていることを特徴とする。
【００２２】
請求項１０に記載の発明は、請求項９に記載のダイスにおいて、
前記ダイスの内壁面に設けられた前記凸部又は凹部の表面の任意の点における法線ベクトルと前記接続筒部の取り外し方向とのなす角が９０°以下であることを特徴とする。
【００２３】
請求項１１に記載の発明は、請求項８から請求項１０のいずれか一項に記載のダイスにおいて、
前記ダイスは、圧縮用のダイスであり、
前記ダイスの内壁面に設けられた前記凸部又は凹部は、前記ダイスの両端部から、かしめる際の重ね代の半分の長さだけ内側の位置にそれぞれ設けられていることを特徴とする。
【００２４】
請求項１２に記載の発明は、請求項１１に記載のダイスにおいて、
前記ダイスは、六角圧縮用のダイスであり、
前記ダイスの内壁面に設けられた前記凸部又は凹部は、前記ダイスの両端部から、前記ダイス幅の１／６だけ内側の位置にそれぞれ設けられていることを特徴とする。
【００２５】
請求項１３に記載の発明は、請求項８から請求項１２のいずれか一項に記載のダイスにおいて、
前記ダイスのうち、少なくとも隣り合うサイズの前記導体と前記接続筒部との接続に用いられる前記ダイス同士では、その内壁面に設けられる前記凸部又は凹部の大きさ、形状、位置、数のうち少なくとも１つが互いに異なっていることを特徴とする。
【００２６】
請求項１４に記載の発明は、挿入された電線・ケーブルの導体ごとかしめられることで前記導体と接続される接続筒部、及び前記導体が挿入された前記接続筒部をかしめるダイスにおいて、
前記接続筒部の表面には、前記ダイスの内壁面に設けられた凸部又は凹部と係合する凹部又は凸部が設けられており、
前記ダイスの内壁面には、前記接続筒部の表面に設けられた前記凹部又は凸部と係合する前記凸部又は凹部が設けられていることを特徴とする。
【００２７】
請求項１５に記載の発明は、電線・ケーブルの導体と端子又は導体接続管とを接続する接続構造において、
前記端子又は前記導体接続管の接続筒部の表面に凹部又は凸部が形成されており、
前記凹部又は凸部は、圧着用のダイスにより前記接続筒部が挿入された電線・ケーブルの導体ごとかしめられる際に前記圧着用のダイスの押し込み部により押し込まれた位置を避けた位置に設けられていることを特徴とする。
【００２８】
請求項１６に記載の発明は、ダイスを用いて接続筒部と電線・ケーブルの導体とを接続する施工方法において、
表面に凹部又は凸部が設けられた前記接続筒部に前記導体を挿入し、
前記接続筒部を、内壁面に凸部又は凹部が設けられた前記ダイスに、前記接続筒部の前記凹部又は凸部と前記ダイスの前記凸部又は凹部とが係合する状態でセットし、
前記ダイスで、挿入された前記導体ごと前記接続筒部をかしめられることで前記接続筒部と前記導体とを接続することを特徴とする。
【発明の効果】
【００２９】
本発明によれば、電線・ケーブルの導体が挿入された接続筒部をダイスでかしめて接続する際に、接続筒部に設けられた凹部等をダイスに設けられた凸部等と係合させることで、ダイスと接続筒部との位置合わせを適切かつ容易に行うことが可能となり、ダイスで接続筒部の所定の位置を適切にかしめることが可能となる。
【図面の簡単な説明】
【００３０】
【図１】（Ａ）第一の実施形態に係る接続筒部を有する端子を示す斜視図であり、（Ｂ）第一の実施形態に係るダイスを構成する受け側ダイスを示す斜視図である。
【図２】（Ａ）端子がダイス内にセットされた状態を表す斜視図であり、（Ｂ）断面図である。
【図３】（Ａ）接続筒部を受け側ダイスに対して誤った位置にセットした例を表す図であり、（Ｂ）接続筒部の根元の部分が破壊されることを表す図である。
【図４】（Ａ）接続筒部が受け側ダイスに対して正しい位置にセットされた状態を表す図であり、（Ｂ）接続筒部が適切にかしめられることを表す図である。
【図５】（Ａ）第二の実施形態に係る接続筒部を有する導体接続管を示す斜視図であり、（Ｂ）第二の実施形態に係るダイスを構成する受け側ダイスを示す斜視図である。
【図６】導体接続管がダイス内にセットされた状態を表す斜視図である。
【図７】第二の実施形態で手順に従って六角圧縮を行うと重ね代が自動的にダイス幅の１／３になることを説明する図である。
【図８】接続筒部の凹部が圧着用のダイスの押し込み側ダイスの押し込み部により押し込まれる位置を避けた位置に設けられている状態を表す図である。
【図９】接続筒部の凹部が圧着用のダイスの押し込み側ダイスの押し込み部により押し込まれた位置を避けた位置に設けられている接続構造の例を表す図である。
【図１０】複数の凹部が押し込み側ダイスの押し込み部のセンターの移動方向と表面との交点を中心として点対称の位置に設けられた接続筒部の例を表す図である。
【図１１】電線・ケーブルの導体を（Ａ）一方側から、（Ｂ）他方側から挿入した接続筒部を受け側ダイスにセットした状態を表す図である。
【図１２】図１０の接続筒部の複数の凹部に対応する複数の位置に凸部が設けられた受け側ダイスを表す平面図である。
【図１３】（Ａ）凹部の下側を窄まらない形状に形成した接続筒部の例を表す図であり、（Ｂ）接続筒部の凹部が受け側ダイスの凸部に倣って変形する状態を表す図である。
【図１４】（Ａ）受け側ダイスに設けられた凸部の別の例を表す図であり、（Ｂ）接続筒部の凹部が受け側ダイスの凸部に倣って変形する状態を表す図である。
【図１５】（Ａ）受け側ダイスに設けられた凹部の例を表す図であり、（Ｂ）接続筒部が受け側ダイスの凹部に倣って変形する状態を表す図である。
【図１６】図１４（Ｂ）の場合にかしめられた接続筒部を取り外す方向を変える場合を表す図である。
【図１７】（Ａ）、（Ｂ）かしめられた接続筒部を受け側ダイスの凸部に引っ掛からずに取り外すことが可能な凸部の形状の例を表す図である。
【図１８】（Ａ）接続筒部の凹部と受け側ダイスの凸部とが疑似係合している状態を表す図であり、（Ｂ）凸部の大きさと形状を変えると凹部と凸部が係合しなくなることを表す図である。
【図１９】接続筒部の凹部と受け側ダイスの凸部とがガタついた状態で係合している状態を表す図である。
【図２０】（Ａ）接続筒部の凹部、（Ｂ）受け側ダイスの凸部の形状を変えた例を表す図である。
【図２１】（Ａ）接続筒部の凹部、（Ｂ）受け側ダイスの凸部の形状を変えた別の例を表す図である。
【図２２】（Ａ）接続筒部の凹部、（Ｂ）受け側ダイスの凸部の位置を変えた例を表す図である。
【図２３】接続筒部の凹部の位置を変えた別の例を表す図である。
【図２４】受け側ダイスの凸部の数を変えた例を表す図である。
【図２５】（Ａ）受け側ダイスの構成例Ａを示す斜視図であり、（Ｂ）Ｂ−Ｂ線に沿う断面図である。
【図２６】（Ａ）〜（Ｃ）受け側ダイスの構成例Ａで凸部の数や位置を変えた構成を示す斜視図である。
【図２７】受け側ダイスの構成例Ｂを示す斜視図である。
【図２８】（Ａ）受け側ダイスの構成例Ｃを示す斜視図であり、（Ｂ）Ｃ−Ｃ線に沿う断面図であり、（Ｃ）拡大図である。
【図２９】（Ａ）帯状の凸部の断面形状を台形状とした場合の受け側ダイスを示す斜視図であり、（Ｂ）Ｄ−Ｄ線に沿う断面図である。
【図３０】第六の実施形態における受け側ダイスの構成例Ｄを示す斜視図である。
【図３１】図２９のＡ−Ａ線に沿う断面図であり、ダイスとセットされた接続筒部との配置関係を表す図である。
【図３２】（Ａ）、（Ｂ）受け側ダイスの構成例Ｄで帯状の凸部を断続的に形成した変形例を示す斜視図である。
【発明を実施するための形態】
【００３１】
以下、図面を参照して、本発明に係る接続筒部、端子、導体接続管、ダイス及び接続構造について、いくつかの実施の形態を例示して説明する。ただし、以下に述べる各実施形態には、本発明を実施するために技術的に好ましい種々の限定が付されているが、本発明の範囲を以下の各実施形態や図示例に限定するものではない。
【００３２】
本発明では、端子や導体接続管の接続筒部に電線・ケーブルの導体が挿入され、ダイスにより、挿入された電線・ケーブルの導体ごと接続筒部がかしめられる（圧着、圧縮される）ことで、電線・ケーブルの導体と端子とが電気的、機械的に接続される。
そして、その際、端子や導体接続管の接続筒部の表面には、接続筒部をかしめるダイスの内壁面に設けられた凸部又は凹部と係合する凹部又は凸部が設けられている。
また、ダイスの内壁面には、接続筒部の表面に設けられた凹部又は凸部と係合する凸部又は凹部が設けられている。
【００３３】
なお、以下では、圧着により電線・ケーブルの導体と端子とを接続し、圧縮により導体と導体接続管とを接続する場合について説明するが、導体と端子とを圧縮により接続したり、導体と導体接続管とを圧着により接続したりする場合もあることは言うまでもない。そして、以下では、後者の場合については説明を省略するが、前者の場合と同様に説明することが可能であり、本発明には後者の場合も含まれる。
【００３４】
また、以下では、接続筒部の表面に凹部が設けられており、ダイスの内壁面に凸部が設けられている場合について説明するが、本発明はこの場合に限定されず、反対に、接続筒部の表面に凸部が設けられており、ダイスの内壁面に凹部が設けられていてもよい。
【００３５】
［第一の実施形態］
この実施形態では、ダイス４０による圧着により電線・ケーブル５０の導体５１と端子２０の接続筒部１０とを接続する場合を例示して、本発明の最も基本的な構成について説明する。
図１（Ａ）は本実施形態に係る接続筒部１０を有する端子２０、図１（Ｂ）は本実施形態に係るダイス４０を構成する受け側ダイス４２を示す斜視図であり、図２（Ａ）、（Ｂ）は、端子２０がダイス４０内にセットされた状態を表す斜視図及び断面図である。なお、図２（Ａ）では、電線・ケーブル５０や導体５１の図示が省略されている。また、後述する図３（Ａ）、（Ｂ）以下の各図においても電線・ケーブル５０や導体５１の図示が省略される場合があるが、圧着や圧縮が接続筒部１０に電線・ケーブル１０の導体１１が挿入されている状態で行われることは言うまでもない。
【００３６】
図１（Ａ）に示すように、端子２０は、主に、孔２２を有する羽子板部２１と、内部に空洞が設けられた略円筒状の接続筒部１０とを備えて構成されており、開口部１０Ｂから接続筒部１０内に電線・ケーブル５０の導体５１（図２（Ｂ）参照）を挿入することができるようになっている。
そして、本実施形態では、端子２０の接続筒部１０の表面１０Ａには、所定の位置に凹部１１が設けられている。
【００３７】
本実施形態では、ダイス４０は圧着用のダイスであり、図２（Ａ）に示すように、押し込み側ダイス４１と受け側ダイス４２とを備えて構成されている。なお、ダイス４０は、押し込み側ダイス４１と受け側ダイス４２の２つのパーツで構成されている場合に限定されず、３つ以上のパーツで構成されていてもよい。
【００３８】
ダイス４０の押し込み側ダイス４１には、端子２０の接続筒部１０をかしめるための押し込み部４１Ａ（凸部等ともいう。）が設けられている。
また、本実施形態では、図１（Ｂ）や図２（Ａ）に示すように、受け側ダイス４２の内壁面４２Ａには、所定の位置に、端子２０の接続筒部１０の表面１０Ａに設けられた凹部１１と略同形で凹凸が逆の点状の凸部４３が設けられている。
【００３９】
このように構成すると、図２（Ｂ）に示すように、圧着を行うために、電線・ケーブル５０の導体５１が挿入された端子２０の接続筒部１０を受け側ダイス４２にセットすると、接続筒部１０の凹部１１と受け側ダイス４２の凸部４３とが係合する。なお、端子２０の接続筒部１０を受け側ダイス４２にセットした後で、電線・ケーブル５０の導体５１を接続筒部１０に挿入してもよい（以下同じ。）。
【００４０】
そして、上記のように、接続筒部１０の凹部１１と受け側ダイス４２の凸部４３とが係合すると、ダイス４０内で接続筒部１０が軸方向（すなわち接続筒部１０に挿入された電線・ケーブル５０の導体５１の延在方向。図中の矢印参照）に移動しなくなる。
そのため、本実施形態では、端子２０の接続筒部１０をダイス４０の受け側ダイス４２上にセットする際に、接続筒部１０の凹部１１と受け側ダイス４２の凸部４３とを係合させることで、接続筒部１０がダイス４０（受け側ダイス４２）に対して容易かつ適切に位置決めされる。
【００４１】
そして、その際、凹部１１を接続筒部１０の表面１０Ａの適切な位置に設け、凸部４３を受け側ダイス４２の内壁面４２Ａの適切な位置に設けることで、ダイス４０により接続筒部１０をかしめて電線・ケーブル５０の導体５１と接続筒部１０とを圧着により接続する際に押し込み側ダイス４１の押し込み部４１Ａでかしめる位置が所定の位置からずれてしまうことを的確に防止することが可能となる。
【００４２】
以下、具体的に説明する。いま仮に、本実施形態のように接続筒部１０やダイス４０に凹部１１や凸部４３が設けられておらず、接続筒部１０がダイス４０内で接続筒部１０の軸方向に移動できる状態になっているとする。
【００４３】
このような状態で接続筒部１０をダイス４０でかしめる際、例えば、図３（Ａ）に示すように、接続筒部１０の表面１０Ａの軸方向の中心Ｃ＊に押し込み側ダイス４１の押し込み部４１ＡのセンターＣｄが当たるような位置に接続筒部１０をセットしてしまうケースがある。
そして、この状態で押し込み側ダイス４１を移動させてその押し込み部４１Ａを接続筒部１０に押し込むと、図３（Ｂ）に示すように、接続筒部１０の根元の部分αにせん断力がかかり、その部分αで接続筒部１０が破壊されてしまう場合がある。
【００４４】
また、図示を省略するが、例えば、押し込み側ダイス４１の押し込み部４１Ａを、図３（Ａ）に示した位置よりも接続筒部１０の開口部１０Ｂ側に寄った位置（図中ではより右側の位置）で接続筒部１０に押し込んでかしめても、電線・ケーブル５０の導体５１が端子２０から抜けてしまったり、端子２０（接続筒部１０）と導体５１との接続不良が生じたりしてしまう場合がある。
【００４５】
それに対し、本実施形態のように構成すると、図４（Ａ）に示すように、接続筒部１０を受け側ダイス４２にセットすると、接続筒部１０の凹部１１と受け側ダイス４２の凸部４３とが係合して位置決めされ、ダイス４０内で接続筒部１０が軸方向に移動しなくなる。
そして、この状態で押し込み側ダイス４１の押し込み部４１Ａを接続筒部１０に押し込むと、押し込み側ダイス４１の押し込み部４１ＡのセンターＣｄが接続筒部１０の表面１０Ａ上の正しい位置Ｃに適切に当たる状態になる。そして、さらに押し込むことで、上記のような問題が生じることなく図４（Ｂ）に示すように接続筒部１０を適切にかしめることが可能となり、接続筒部１０と電線・ケーブル５０の導体５１とを適切に接続することが可能となる。
【００４６】
なお、図４（Ａ）、（Ｂ）中のＣ１０については後で説明する。また、凹部１１が設けられる接続筒部１０の表面１０Ａの「所定の位置」や、凸部４３が設けられる受け側ダイス４２の内壁面４２Ａの「所定の位置」は、上記のように、接続筒部１０の凹部１１と受け側ダイス４２の凸部４３とが係合して位置決めされた状態で押し込み側ダイス４１の押し込み部４１Ａを接続筒部１０に押し込むと、押し込み側ダイス４１の押し込み部４１ＡのセンターＣｄが接続筒部１０の表面１０Ａ上の正しい位置Ｃに当たった状態で接続筒部１０をかしめることができるような位置をいう。
【００４７】
本実施形態では、以上のように、電線・ケーブル５０の導体５１が挿入された接続筒部１０をダイス４０でかしめて圧着により接続する際に、接続筒部１０をダイス４０の受け側ダイス４２上にセットすると、接続筒部１０の凹部１１と受け側ダイス４２の凸部４３とが係合し、接続筒部１０がダイス４０（受け側ダイス４２）に対して容易かつ適切に位置決めされる。そのため、この状態で、押し込み側ダイス４１を押し込んで接続筒部１０をかしめることで、ダイス４０で接続筒部１０の所定の位置を適切にかしめることが可能となる。
【００４８】
そして、現場の作業員は、ダイス４０で電線・ケーブル５０の導体５１と端子２０の接続筒部１０とを圧着により接続する際、自らの経験や勘に頼らずとも、接続筒部１０の凹部１１と受け側ダイス４２の凸部４３とを係合させて接続筒部１０を受け側ダイス４２にセットするだけで、接続筒部１０が適切に位置決めされた状態で圧着を行うことが可能となる。そのため、作業員は、圧着作業を容易かつ適切に行うことが可能となる。
【００４９】
［凹部と凸部との係合について］
なお、以下の実施形態においても同様であるが、接続筒部１０の凹部１１と受け側ダイス４２の凸部４３は、前述したように、上記のようにそれらが係合することで接続筒部１０がダイス４０に対して位置決めされ、それにより接続筒部１０の適切な位置をかしめることを可能とするものである。
そのため、凹部１１と凸部４３とが相対的に動かない状態で係合するものであることが望ましい。すなわち、それらを係合した際、接続筒部１０の凹部１１内で受け側ダイス４２の凸部４３が動き回ることがない状態で係合するものであることが望ましい。ただし、後述する図１５（Ａ）に示すように（なお、同図では接続筒部１０の凸部１２と受け側ダイス４２の凹部４４とが係合している。）、凹部１１と凸部４３とが必ずしも嵌合するもの（すなわち隙間なく係合するもの）でなくてもよい。
【００５０】
［第二の実施形態］
上記の第一の実施形態では、ダイス４０（圧着用のダイス）で圧着により電線・ケーブル５０の導体５１と接続筒部１０とを接続する場合について説明した。しかし、本発明は、ダイス４０（圧縮用のダイス）で圧縮により電線・ケーブル５０の導体５１と接続筒部１０とを接続する場合についても適用することができ、第一の実施形態と同様に構成することが可能である。
以下、ダイス４０（圧縮用のダイス）で電線・ケーブル５０の導体５１と導体接続管３０の接続筒部１０とを圧縮により接続して電線・ケーブル５０を延長する場合を例示して、具体的に説明する。
【００５１】
図５（Ａ）は本実施形態に係る接続筒部１０を有する導体接続管３０、図５（Ｂ）は本実施形態に係るダイス４０を構成する受け側ダイス４２を示す斜視図であり、図６は、導体接続管３０がダイス４０内にセットされた状態を表す斜視図である。なお、図５（Ｂ）、図６では、ダイス４０として接続筒部１０の六角圧縮に用いられるダイスが示されている。
【００５２】
図５（Ａ）に示すように、導体接続管３０は、略円筒状の接続筒部１０で構成されており、両端の開口部１０Ｂから接続筒部１０内に電線・ケーブル５０の導体５１（図６参照）をそれぞれ挿入することができるようになっている。
そして、本実施形態では、導体接続管３０の接続筒部１０の表面１０Ａには、所定の位置に、接続筒部１０の軸方向に直交する方向に延びる溝状の凹部１１が設けられている。
【００５３】
図６に示すように、ダイス４０は圧縮ダイス４１と受け側ダイス４２とを備えて構成されているが、本実施形態においても、ダイス４０は、圧縮ダイス４１と受け側ダイス４２の２つのパーツで構成されている場合に限定されず、３つ以上のパーツで構成されていてもよい。
そして、本実施形態では、図５（Ｂ）や図６に示すように、受け側ダイス４２の内壁面４２Ａには、所定の位置に凸部４３が設けられている。
【００５４】
なお、図５（Ａ）、（Ｂ）や図６では、接続筒部１０の表面１０Ａの両側（すなわち接続筒部１０の中心軸に対して対称な位置）に凹部１１がそれぞれ設けられ、それらに対応するように、受け側ダイス４２の内壁面４２Ａの両側に凸部４３がそれぞれ設けられている場合が示されているが、本発明はこれに限定されず、例えば、接続筒部１０の表面１０Ａの片側や受け側ダイス４２の内壁面４２Ａの片側に凹部１１や凸部４３が設けられていてもよい。
また、このように、受け側ダイス４２の凸部４３を、必ずしも図２（Ａ）、（Ｂ）や図４（Ａ）、（Ｂ）に示したように内壁面４２Ａの底部に設ける必要はなく、図５（Ａ）、（Ｂ）に示したように内壁面４２Ａの底部以外の位置に設けるように構成することも可能である。
【００５５】
上記のように構成すると、図６に示すように、圧縮を行うために、電線・ケーブル５０の導体５１が挿入された導体接続管３０の接続筒部１０を受け側ダイス４２にセットすると、接続筒部１０の凹部１１と受け側ダイス４２の凸部４３とが係合して、ダイス４０内で接続筒部１０が軸方向に移動しなくなる。
そのため、本実施形態においても、導体接続管３０の接続筒部１０をダイス４０の受け側ダイス４２上にセットする際に、接続筒部１０の凹部１１と受け側ダイス４２の凸部４３とを係合させることで、接続筒部１０がダイス４０（受け側ダイス４２）に対して容易かつ適切に位置決めされる。
【００５６】
そして、圧縮（六角圧縮）を行う際には、まず、図６に示したように、導体接続管３０の接続筒部１０のうち中央部分が受け側ダイス４２上に位置するように接続筒部１０の凹部１１と受け側ダイス４２の凸部４３とを係合させて位置決めして、接続筒部１０を受け側ダイス４２にセットする。そして、圧縮ダイス４１を接続筒部１０や受け側ダイス４２側に移動させて圧縮する。
続いて、図６に示した例で言えば、例えば、接続筒部１０を図中左斜め上側に移動させて接続筒部１０の凹部１１と受け側ダイス４２の凸部４３とを係合させてセットして圧縮する。
【００５７】
そして、接続筒部１０を、今度は、図６に示した状態から図中右斜め下側に移動させて接続筒部１０の凹部１１と受け側ダイス４２の凸部４３とを係合させてセットして圧縮する。
必要があれば、その動作を左右交互に繰り返して圧縮（六角圧縮）が行われる。
【００５８】
本実施形態では、以上のように、電線・ケーブル５０の導体５１が挿入された接続筒部１０をダイス４０でかしめて圧縮により接続する際に、接続筒部１０をダイス４０の受け側ダイス４２上にセットすると、接続筒部１０の凹部１１と受け側ダイス４２の凸部４３とが係合し、接続筒部１０がダイス４０（受け側ダイス４２）に対して容易かつ適切に位置決めされる。そのため、この状態で、圧縮ダイス４１で圧縮して接続筒部１０をかしめることで、ダイス４０で接続筒部１０を適切にかしめる（圧縮する）ことが可能となる。
【００５９】
そして、現場の作業員は、ダイス４０で電線・ケーブル５０の導体５１と導体接続管３０の接続筒部１０とを圧縮により接続する際、自らの経験や勘に頼らずとも、接続筒部１０の凹部１１と受け側ダイス４２の凸部４３とを係合させて接続筒部１０を受け側ダイス４２にセットするだけで、接続筒部１０が適切に位置決めされた状態で圧縮を行うことが可能となる。
そのため、作業員は、圧縮作業を容易かつ適切に行うことが可能となる。
【００６０】
なお、前述したように、六角圧縮を行う場合、まず、電線・ケーブル５０の導体５１が両端からそれぞれ挿入された導体接続管３０（接続筒部１０）の中央部分を圧縮し、続いて１／３重ねで左右交互に圧縮していくように作業の手順が決められている。
そのため、受け側ダイス４２の内壁面４２Ａに設けられた凸部４３は、受け側ダイス４２の両端部から、かしめる際の重ね代Ｄ（すなわちダイス幅の１／３）の半分の長さｄ（すなわちダイス幅の１／６）だけ内側の位置にそれぞれ設けられていることが望ましい。
【００６１】
このように構成すると、図７に示すように、導体接続管３０の接続筒部１０のうち中央部分が受け側ダイス４２上に位置するように接続筒部１０の凹部１１と受け側ダイス４２の凸部４３とを係合させて位置決めしてセットして（図中上段参照）圧縮した後、例えば受け側ダイス４２を図中右側に移動させて（あるいは接続筒部１０を左側に移動させて）接続筒部１０の凹部１１と受け側ダイス４２の凸部４３とを係合させると（図中中段参照）、かしめる際の重ね代Ｄが自動的にダイス幅の１／３になる。
【００６２】
また、その状態で圧縮した後、受け側ダイス４２を図中左側に移動させて（あるいは接続筒部１０を右側に移動させて）接続筒部１０の凹部１１と受け側ダイス４２の凸部４３とを係合させると（図中下段参照）、やはりかしめる際の重ね代Ｄが自動的にダイス幅の１／３になる。
すなわち、上記のように構成すれば、接続筒部１０と受け側ダイス４２とを相対的に移動させて接続筒部１０の凹部１１と受け側ダイス４２の凸部４３とを係合させるだけで、１／３重ねを自動的に実現することが可能となる。
【００６３】
そのため、現場の作業員は、自らの経験や勘に頼らずとも、決められた１／３重ねで適切に圧縮により電線・ケーブル５０の導体５１と導体接続管３０の接続筒部１０とを接続することが可能となる。しかも、それを容易に行うことが可能となる。
また、このように電線・ケーブル５０の導体５１と導体接続管３０の接続筒部１０とが適切に接続されるため、所定の接触抵抗が得られなくなったり、圧縮後の導体接続管３０の表面にバリができてしまったりする問題が生じることを防止することが可能となる。
【００６４】
［第三の実施形態］
次に、第三の実施形態として、第一の実施形態で説明した端子２０の接続筒部１０の表面１０Ａに設けられる凹部１１の数や受け側ダイス４２の内壁面４２Ａに設けられる凸部４３の数等の他の例を、図８以下の各図に基づいて説明する。
【００６５】
図２（Ｂ）等では、端子２０の接続筒部１０に対して電線・ケーブル５０の導体５１を図中右側から挿入した状態で圧着により接続する場合について説明した。しかし、現場によっては、端子２０の向きを逆向きにして、左側からくる電線・ケーブル５０を接続しなければならない場合もある。
その際、例えば図４（Ａ）に示した構成では、受け側ダイス４２に対して単に接続筒部１０の向きを逆向きにして（すなわち接続筒部１０に電線・ケーブル５０の導体５１が図中左側から挿入されている状態にして）凹部１１と凸部４３とを係合させると、図示を省略するが、接続筒部１０の開口部１０Ｂ側が受け側ダイス４２に僅かに載るだけの状態になり、接続筒部１０を受け側ダイス４２の適切な位置にセットすることができない。
【００６６】
そのため、図４（Ａ）等に示した構成の端子２０やダイス４０を用いる場合、電線・ケーブル５０の向きが変わるたびにダイス４０を工具から一旦外して向きを変えたり、作業員が体の向きを入れ替えて（例えば前向きの状態から後ろ向きの状態に入れ替えて）ダイス４０の向きを変える等しなければならなくなるが、それでは作業に手間がかかる。
そこで、図４（Ａ）等に示したように構成する場合、例えば、接続筒部１０の表面１０Ａや受け側ダイス４２の内壁面４２Ａに設ける凹部１１や凸部４３を、図４（Ａ）における押し込み側ダイス４１の押し込み部４１ＡのセンターＣｄと位置Ｃとを結ぶ線（図中の１点鎖線参照）をさらに下方に延長した位置Ｃ１０（いわゆる中央の位置）に設ける構成とすることが考えられる。このように構成すれば、電線・ケーブル５０の向き（すなわち端子２０の向き）が変わっても、ダイス４０の向きを変える必要はなくなる。
【００６７】
しかし、凹部１１や凸部４３を接続筒部１０や受け側ダイス４２の中央の位置Ｃ１０に設けると、その部分での圧縮率が下がってしまう。
そのため、それを補うための設計や新たな構成等が必要になる。そのため、凹部１１や凸部４３は、できるだけかしめに影響のない位置（特にかしめにおける圧縮率に影響のない位置）に設けることが望ましい。
すなわち、図８に示すように、接続筒部１０の表面１０Ａに設けられた凹部１１は、圧着用のダイス４０の押し込み側ダイス４１の押し込み部４１Ａにより押し込まれる位置Ｒを避けた位置に設けられていることが望ましい。
【００６８】
そして、このように構成する場合、図９に示すように、電線・ケーブル５０の導体５１と端子２０（又は導体接続管３０。以下同じ。）とを接続する接続構造では、端子２０の接続筒部１０の表面１０Ａに凹部１１が形成されており、凹部１１が、圧着用のダイス４０により接続筒部１０が挿入された電線・ケーブル５０の導体５１ごとかしめられる際に圧着用のダイス４０の押し込み側ダイス４１の押し込み部４１Ａにより押し込まれた位置Ｒを避けた位置に設けられている状態になっている。
なお、図９は、導体５１に端子２０が接続された電線・ケーブル５０を、端子２０の真上から見た図である。
【００６９】
以下、ダイス４０の向きを変えずに端子２０や接続筒部１０の向きを変えても凹部１１と凸部４３が係合する例について説明する。
【００７０】
［第三の実施形態−その１］
この場合、例えば、図１０に示すように、接続筒部１０の表面１０Ａに複数の凹部１１を設け、複数の凹部１１を、押し込み側ダイス４１の押し込み部４１ＡのセンターＣｄ（図４（Ａ）、（Ｂ）参照）の移動方向と表面１０Ａとの交点Ｃ１０を中心として点対称の位置にそれぞれ設けるように構成することが可能である。
なお、複数の凹部１１は図１０のように２つである必要はなく、３つ以上設けられてもよい。ただし、交点Ｃ１０を中心として点対称の位置にある複数の凹部１１同士は、大きさが同じで形状が点対称になるように設けられる。
【００７１】
このように構成すると、図１１（Ａ）に示すように、電線・ケーブル５０の導体５１を図中右側から挿入した状態の接続筒部１０を受け側ダイス４２にセットする際には、複数の凹部１１のうちの一方の凹部１１（この場合は接続筒部１０の開口部側の凹部１１）が受け側ダイス４２に設けられた凸部４３と係合する。また、図１１（Ｂ）に示すように、電線・ケーブル５０の導体５１を図中左側から挿入した状態の接続筒部１０を受け側ダイス４２にセットする際には、複数の凹部１１のうち反対側の凹部１１（この場合は接続筒部１０の根元側の凹部１１）が受け側ダイス４２に設けられた凸部４３と係合する。
【００７２】
そして、両方の凹部１１は、押し込み側ダイス４１の押し込み部４１ＡのセンターＣｄの位置（すなわち上記の点Ｃ１０）を中心として点対称の位置に設けられているため、接続筒部１０を図１１（Ａ）、（Ｂ）のいずれの状態でセットしても、押し込み側ダイス４１の押し込み部４１Ａで接続筒部１０を適切にかしめる（圧着する）ことが可能となる。
このように、接続筒部１０を図１０に示したように構成することで、電線・ケーブル５０の向きが変わっても、ダイス４０の向きを変えることなくダイス４０に対して接続筒部１０や端子２０の向きを変えるだけで、接続筒部１０をダイス４０で適切にかしめて端子２０を電線・ケーブル５０の導体５１に適切に接続することが可能となる。
【００７３】
［第三の実施形態−その２］
また、上記の例では、接続筒部１０の凹部１１のみを複数設ける場合について説明したが、ダイス４０の受け側ダイス４２にも凸部４３を複数設けるように構成することも可能である。
その場合、図１２に示すように、接続筒部１０に設けられた複数の凹部１１に対応する受け側ダイス４２の内壁面４２Ａの各位置に複数の凸部４３をそれぞれ設けるように構成される。
【００７４】
このように構成すれば、上記の例と同様に、ダイス４０にセットする接続筒部１０の向きを変えても、接続筒部１０の複数の凹部１１と受け側ダイス４２の複数の凸部４３とがそれぞれ係合するため、接続筒部１０の向きを変えても受け側ダイス４２に対して接続筒部１０が適切な位置に位置決めされる。
そのため、電線・ケーブル５０の向きが変わっても、ダイス４０の向きを変えることなくダイス４０に対して接続筒部１０や端子２０の向きを変えるだけで、接続筒部１０をダイス４０で適切にかしめて端子２０を電線・ケーブル５０の導体５１に適切に接続することが可能となる。
【００７５】
［第四の実施形態］
次に、第四の実施形態として、受け側ダイス４２の内壁面４２Ａに設けられる凸部４３の形状の他の例を、図１３（Ａ）、（Ｂ）以下の各図に基づいて説明する。
なお、図１３（Ａ）、（Ｂ）等では、図を見やすくするために、接続筒部１０に対して、接続筒部１０の凹部１１や受け側ダイス４２の凸部４３が、実際の比率よりも相対的に大きく記載されている。また、図１３（Ａ）、（Ｂ）等では、電線・ケーブル５０や導体５１のほか接続筒部１０内の空洞の図示も省略されている。
また、以下では、圧着用のダイス４０で端子２０の接続筒部１０をかしめて電線・ケーブル５０の導体５１と接続筒部１０とを圧着により接続する場合について説明し、導体５１と端子２０の接続筒部１０とを圧縮により接続したり導体５１と導体接続管３０の接続筒部１０とを圧着や圧縮により接続する場合については説明を省略するが、それらの場合も同様に説明される。後述する第五の実施形態でも同様である。
【００７６】
第一の実施形態から第三の実施形態では、受け側ダイス４２に設けられる凸部４３が半球状である場合（図５（Ｂ）等に示した圧縮用のダイス４０の受け側ダイス４２では球を半分に切断した形状である場合）について説明したが、凸部４３は、円柱状、円錐状、角柱状、角錐状、星型、波型等の他の形状であってもよい。
【００７７】
しかし、その際、受け側ダイス４２の凸部４３が、例えば図１３（Ａ）に示すように図中下側が窄まった形状である場合、同図に示すように接続筒部１０の凹部１１を図中下側が窄まらない形状に形成しても、ダイス４０で接続筒部１０をかしめる際に接続筒部１０の凹部１１が受け側ダイス４２の凸部４３に倣って変形して、図１３（Ｂ）に示すように受け側ダイス４２の凸部４３の下側の窄まった部分に入り込む場合がある（図中の矢印参照）。
そのため、かしめられた接続筒部１０を受け側ダイス４２から取り外す際に、変形した凹部１１が受け側ダイス４２の凸部４３に食い込んで引っ掛かり、接続筒部１０を取り外しにくくなったり取り外せなくなったりし得る。
【００７８】
また、受け側ダイス４２の凸部４３が半球状であっても、例えば受け側ダイス４２の凸部４３が図１４（Ａ）に示すような位置に設けられている場合には、ダイス４０で接続筒部１０をかしめる際に接続筒部１０の凹部１１が受け側ダイス４２の凸部４３に倣って変形して、図１４（Ｂ）に示すように受け側ダイス４２の凸部４３の下側に入り込む場合がある（図中の矢印参照）。
そのため、この場合も、圧着や圧縮が完了して受け側ダイス４２から接続筒部１０を取り外す際に、変形した凹部１１が受け側ダイス４２の凸部４３に食い込んで引っ掛かり、接続筒部１０を取り外しにくくなったり取り外せなくなったりし得る。
【００７９】
さらに、上記の現象は、受け側ダイス４２の内壁面４２Ａに凹部４４を設ける場合も同様に発生し得る（この場合、接続筒部１０の表面１０Ａには凸部１２が設けられる。）。すなわち、例えば図１５（Ａ）に示すように受け側ダイス４２の内壁面４２Ａに図中上側が窄まった凹部４４を設けた場合、ダイス４０で接続筒部１０をかしめる際に接続筒部１０が受け側ダイス４２の凹部４４に倣って変形して、図１５（Ｂ）に示すように受け側ダイス４２の凹部４４内に入り込む場合がある（図中の矢印参照）。
そのため、この場合も、圧着や圧縮が完了して受け側ダイス４２から接続筒部１０を取り外す際に、受け側ダイス４２の凹部４４内を充填するように変形した接続筒部１０の凸部１２が受け側ダイス４２の凹部４４に食い込んで引っ掛かり、接続筒部１０を取り外しにくくなったり取り外せなくなったりし得る。
【００８０】
なお、図１４（Ａ）、（Ｂ）に示した例では、図１４（Ｂ）の状態から接続筒部１０を取り外す際、図１６に示すように、受け側ダイス４２に対して斜め方向（図中の矢印参照）に取り外すようにすれば、接続筒部１０の変形した凹部１１が受け側ダイス４２の凸部４３に引っ掛からずに接続筒部１０を取り外すことができるため、上記のような変形した接続筒部１０の凹部１１による引っ掛かりの問題は解消できる。
しかし、そのためには、受け側ダイス４２のうち図中βで示した部分を予め取り除いておかないと接続筒部１０を取り外すことができないが、βの部分を予め取り除いてしまうと接続筒部１０を適切にかしめることができなくなるなど、ダイスとして機能しなくなるおそれがあり、現実的な対応とは言い難い。
【００８１】
そこで、受け側ダイス４２の内壁面４２Ａに設けられる凸部４３（又は凹部４４。以下同じ。）は、ダイス４０によりかしめられた接続筒部１０を受け側ダイス４２から取り外す際に、接続筒部１０の凹部１１（又は凸部１２。以下同じ。）が受け側ダイス４２の凸部４３に引っ掛からずスムーズに受け側ダイス４２から取り外すことが可能な形状に形成されていることが望ましい。
なお、上記の第二の実施形態において、接続筒部１０の凹部１１を、接続筒部１０の軸方向に直交する方向に延びる溝状に設けた理由も、ダイス４０によりかしめられた接続筒部１０を取り外す際に、接続筒部１０の凹部１１が受け側ダイス４２の凸部４３に引っ掛からないようにするためである。
【００８２】
上記の形状を別の言い方で表すと、上記の例からも分かるように、受け側ダイス４２の凸部４３の形状を、ダイス４０で接続筒部１０をかしめる際に受け側ダイス４２の凸部４３に倣って変形した接続筒部１０の凹部１１が受け側ダイス４２の凸部４３に食い込まないような形状とすることが望ましい。
あるいは、受け側ダイス４２の凸部４３の形状を、かしめられた接続筒部１０を受け側ダイス４２から取り外す際の取り外し方向から受け側ダイス４２の凸部４３を見た場合に凸部４３の表面の各部分が見えるか他の部分と重なって見える形状（すなわち他の部分で覆い隠されていて見えない部分がない形状）とすることが望ましい。
【００８３】
さらに言えば、受け側ダイス４２の凸部４３の形状を、図１７（Ａ）に示すように、凸部４３の表面の任意の点における法線ベクトルＢと接続筒部１０の取り外し方向Ａとのなす角θが９０°以下（θ≦９０°）であるような形状であることが望ましい。
そして、これは、受け側ダイス４２に凹部４４を設ける場合（この場合、接続筒部１０には凸部１２を設ける。）も同様であり、受け側ダイス４２の凸部４３の形状を、図１７（Ｂ）に示すように、凹部４４の表面の任意の点における法線ベクトルＢと接続筒部１０の取り外し方向Ａとのなす角θが９０°以下（θ≦９０°）であるような形状であることが望ましい。
【００８４】
以上のように構成すれば、ダイス４０によりかしめられた接続筒部１０を受け側ダイス４２から取り外す際に、接続筒部１０の凹部１１や凸部１２が受け側ダイス４２の凸部４３や凹部４４に食い込んで引っ掛かることなく、スムーズに受け側ダイス４２から取り外すことが可能となる。
【００８５】
［第五の実施形態］
ところで、前述したように、ダイス４０で端子２０や導体接続管３０の接続筒部１０をかしめる場合、接続筒部１０に挿入する電線・ケーブル５０の導体５１のサイズ（２２、３８、６０ｍｍ２等）に見合ったダイス４０が用いられる。
導体５１のサイズに適合しないダイス４０が用いられると、以下のような問題が生じ得る。
【００８６】
例えば、適用サイズより小さなサイズ用のダイス４０を使って接続筒部１０をかしめると、押し込み側ダイス４１が接続筒部１０に規定の押し込み深さよりも深く押し込まれるため、接続筒部１０に挿入されている導体５１が断線してしまうおそれがある。
ダイス４０は、例えば圧着の場合、押し込み側ダイス４１の押し込み部４１Ａの先端が規定の押し込み深さを保つようにするために、その深さになると押し込み側ダイス４１と受け側ダイス４２とがぶつかり、それ以上、深く入り込まないようになっているものがある。そのため、上記とは反対に、適用サイズより大きなダイス４０を使ってかしめると、今度はかしめは甘くなってしまい、所定の圧縮率（変形率）が得られない。そして、そのような状態になると、接触抵抗が所定の値よりも高くなって使用中に発熱に至るおそれがあり、また、かしめが甘いと導体が抜けてしまうおそれもある。
【００８７】
そのため、前述したように、ダイス４０で接続筒部１０をかしめる際には、接続筒部１０に挿入する電線・ケーブル５０の導体５１のサイズに見合ったダイス４０を適切に選定して接続筒部１０をかしめることが必要となる。
そして、本発明の上記の各実施形態で説明した構成を用いると、接続筒部１０の表面１０Ａに設けられる凹部１１（又は凸部１２。以下同じ。）やそれと係合する受け側ダイス４２の内壁面４２Ａに設けられる凸部４３（又は凹部４４。以下同じ。）の大きさや形状等を変えることで、上記のようなダイス４０の選定間違いを的確に防止することが可能となる。
【００８８】
そして、ダイス４０の選定間違いは、特に、電線・ケーブル５０の導体５１の隣り合うサイズ（すなわち２２ｍｍ２と３８ｍｍ２、３８ｍｍ２と６０ｍｍ２等）の間で生じやすい。
そのため、電線・ケーブル５０の導体５１の各サイズのうち、少なくとも隣り合うサイズの導体５１と接続される接続筒部１０同士では、その表面に設けられる凹部１１の大きさ、形状、位置、数のうち少なくとも１つが互いに異なるように構成することが望ましい。
また、ダイス４０のうち、少なくとも隣り合うサイズの導体５１のと接続筒部１０との接続に用いられるダイス４０同士では、受け側ダイス４２のう内壁面４２Ａに設けられる凸部４３の大きさ、形状、位置、数のうち少なくとも１つが互いに異なるように構成されることが望ましい。
以下、上記の点について、いくつかの構成例を挙げて具体的に説明する。
【００８９】
［構成例１］
前述したように、接続筒部１０の表面１０Ａに単数又は複数の凹部１１を設け、受け側ダイス４２の内壁面４２Ａに単数又は複数の凸部４３を設ける場合（図４（Ａ）、（Ｂ）や図１１（Ａ）、（Ｂ）等参照）、例えば、少なくとも隣り合うサイズ用のダイス４０同士で、凹部１１や凸部４３の大きさを変えるように構成することが可能である。
例えば、２２ｍｍ２用の接続筒部１０の凹部１１や受け側ダイス４２の凸部４３よりも３８ｍｍ２用の接続筒部１０の凹部１１や受け側ダイス４２の凸部４３の大きさを大きくする。
【００９０】
しかし、隣り合うサイズ同士で接続筒部１０の凹部１１や受け側ダイス４２の凸部４３の大きさを単に変えただけでは、例えば３８ｍｍ２用の受け側ダイス４２に２２ｍｍ２用の接続筒部１０をセットした場合、図１８（Ａ）に示すように、凹部１１と凸部４３とが一応係合した状態（すなわちそれらが相対的に動かない状態）になる場合がある（なお、以下、このような係合を疑似係合という。）。
そして、そのような場合、作業員が、凹部１１と凸部４３とが係合したためダイス４０の選定を間違っていないと勘違いして作業を行い、上記のような問題が生じてしまう場合があり得る。
【００９１】
そのため、隣り合うサイズ同士で凹部１１や凸部４３の大きさを変えただけでは疑似係合が生じるような場合には、例えば図１８（Ｂ）に示すように、凸部４３の大きさだけでなく形状も変えることで、凹部１１と凸部４３とが係合（疑似係合）しなくなる。
そして、この場合は、作業員は、受け側ダイス４２に接続筒部１０をセットして接続筒部１０を動かしても凸部４３と係合しないため、サイズを間違えたと的確に認識して、接続筒部１０（及びそれに挿入する電線・ケーブル５０の導体５１）に見合ったダイス４０を的確に選び直すことが可能となるため、上記のようなダイス４０の選定間違いやそれに起因する問題が生じることを的確に防止することが可能となる。
【００９２】
なお、上記のように構成する場合、例えば、上記とは逆に、２２ｍｍ２用の受け側ダイス４２に３８ｍｍ２用の接続筒部１０をセットした場合、図１９に示すように、接続筒部１０の凹部１１と受け側ダイス４２の凸部４３とが係合したような状態になる。しかし、この場合は、接続筒部１０を受け側ダイス４２上で動かすと、接続筒部１０が少し動くと凹部１１と凸部４３とが当たり、接続筒部１０を別の方向に動かすと接続筒部１０が少し動いて凹部１１と凸部４３とが当たる状態になる。
そのため、作業員は、このように凸部４３が凹部１１内でいわばガタつく状態であることを確認した場合には、サイズを間違えたと認識して、接続筒部１０や導体５１に見合ったダイス４０（上記の場合は３８ｍｍ２用のダイス）を的確に選び直すことができる。そのため、ダイス４０の選定間違い等が生じることを的確に防止することができる。
【００９３】
［構成例２］
上記の構成例１では、少なくとも隣り合うサイズ同士で接続筒部１０の凹部１１や受け側ダイス４２の凸部４３の大きさ又は大きさと形状を変える場合について説明したが、単にそれらの形状を変えることによっても、隣り合うサイズ同士でのダイス４０の選定間違い等を防止することができる。
すなわち、例えば、２２ｍｍ２用の接続筒部１０や受け側ダイス４２では凹部１１や凸部４３を図２０（Ａ）、（Ｂ）に示すように接続筒部１０の軸方向に延在する長円状に設け、３８ｍｍ２用の接続筒部１０や受け側ダイス４２では凹部１１や凸部４３を図２１（Ａ）、（Ｂ）に示すように接続筒部１０の軸方向に直交するに延在する長円状に設けたとする。
【００９４】
この状態で、２２ｍｍ２用の接続筒部１０（図２０（Ａ）参照）を３８ｍｍ２用の受け側ダイス４２（図２１（Ｂ）参照）にセットした場合、仮に接続筒部１０の凹部１１と受け側ダイス４２の凸部４３の大きさを同じにして同じ位置に設けたとしても、形状が異なるため凹部１１と凸部４３とは係合しない。
そのため、隣り合うサイズ同士で接続筒部１０の凹部１１や受け側ダイス４２の凸部４３の形状を変えることによっても、隣り合うサイズ同士でのダイス４０の選定間違い等を防止することができる。
【００９５】
なお、図２０（Ａ）、（Ｂ）と図２１（Ａ）、（Ｂ）では、電線・ケーブル５０の導体５１（図示省略）のサイズが異なるため、実際には接続筒部１０やダイス４０の長さや径等が異なるが、分かりやすくするためそれらを同一のものとして示している。
また、この点は、以下の各図においても同様である。
【００９６】
［構成例３］
また、少なくとも隣り合うサイズ同士で接続筒部１０の凹部１１や受け側ダイス４２の凸部４３の位置を変えることによっても、隣り合うサイズ同士でのダイス４０の選定間違い等を防止することができる。
【００９７】
すなわち、例えば、２２ｍｍ２用の接続筒部１０や受け側ダイス４２では凹部１１や凸部４３を図１０や図１２に示したような位置に設け、３８ｍｍ２用の接続筒部１０や受け側ダイス４２では凹部１１や凸部４３を図２２（Ａ）、（Ｂ）に示すような位置に設けたとする。
この状態で、２２ｍｍ２用の接続筒部１０（図１０参照）を３８ｍｍ２用の受け側ダイス４２（図２２（Ｂ）参照）にセットしても、凹部１１と凸部４３とが係合可能な位置にないため凹部１１と凸部４３とは係合しない。
【００９８】
また、例えば、接続筒部１０の凹部１１を図２３に示すような位置に設けた場合（これと係合する受け側ダイス４２の図示は省略。）、この接続筒部１０を図１２や図２１（Ｂ）に示した受け側ダイス４２にセットしても、接続筒部１０の凹部１１と受け側ダイス４２の凸部４３とが係合可能な位置にないため凹部１１と凸部４３とは係合しない。
このように、少なくとも隣り合うサイズ同士で接続筒部１０の凹部１１や受け側ダイス４２の凸部４３の位置を変えることによっても、隣り合うサイズ同士でのダイス４０の選定間違い等を防止することができる。
【００９９】
なお、上記のように少なくとも隣り合うサイズ同士で接続筒部１０の凹部１１の位置を変える場合でも、上記の［第三の実施形態−その１］で説明したように（図１１（Ａ）、（Ｂ）参照）、受け側ダイス４２に対して電線・ケーブル５０の導体５１を挿入する向きが変わっても接続筒部１０を受け側ダイス４２にセットすることができるようにするために、接続筒部１０に設ける複数の凹部１１は、図１０や図２２（Ａ）、図２３（Ａ）に示したように前述した点Ｃ１０を中心として点対称の位置にそれぞれ設けるように構成することが望ましい。
【０１００】
［構成例４］
また、少なくとも隣り合うサイズ同士で接続筒部１０の凹部１１や受け側ダイス４２の凸部４３の数を変えることによっても、隣り合うサイズ同士でのダイス４０の選定間違い等を防止することができる。
【０１０１】
すなわち、例えば、２２ｍｍ２用の接続筒部１０に凹部１１を図２３に示したように２つ設け、３８ｍｍ２用の受け側ダイス４２に凸部４３を図２４に示すように４つ設けたとする。
この状態で、２２ｍｍ２用の接続筒部１０を３８ｍｍ２用の受け側ダイス４２にセットすると、接続筒部１０には、受け側ダイス４２の２つの凸部４３ａに対応する凹部１１が設けられていないため、結局、接続筒部１０の各凹部１１と受け側ダイス４２の各凸部４３とは係合しない。
このように、少なくとも隣り合うサイズ同士で接続筒部１０の凹部１１や受け側ダイス４２の凸部４３の数を変えることによっても、隣り合うサイズ同士でのダイス４０の選定間違い等を防止することができる。
【０１０２】
なお、上記の場合、図示を省略するが、２２ｍｍ２用の受け側ダイス４２には凸部４３が２つ設けられており、３８ｍｍ２用の接続筒部１０には凹部１１が４つ設けられていることになる。そのため、凹部１１が４つの接続筒部１０を凸部４３が２つの受け側ダイス４２にセットすれば、受け側ダイス４２の２つの凸部４３は接続筒部１０の４つの凹部１１のうち２つと係合し、他の凹部１１は係合の邪魔にならない。
そのため、この場合には、隣り合うサイズ同士で接続筒部１０と受け側ダイス４２とが係合してしまうように見えるが、実際には、３８ｍｍ２用の接続筒部１０は２２ｍｍ２より径が大きいため、２２ｍｍ２用の受け側ダイス４２にセットできない（収まらない）。そのため、ダイス４０の選定間違い等は生じない。
【０１０３】
［構成例５］
上記のように、少なくとも隣り合うサイズ同士で接続筒部１０の凹部１１や受け側ダイス４２の凸部４３の大きさ、形状、位置、数のうち１つの要素だけを互いに異なるように構成してもよいが、［構成例１］で説明した大きさと形状の両方を変える場合のように、大きさや形状等の各要素を適宜組み合わせて、それらを少なくとも隣り合うサイズ同士で変えるように構成することも可能である。
また、それらの要素と、それら以外の他の要素（例えば色等）とを組み合わせて、それらを少なくとも隣り合うサイズ同士で変えるように構成することも可能である。
【０１０４】
［第六の実施形態］
ところで、上記の各実施形態では、受け側ダイス４２の内壁面４２Ａに設ける凸部４３（又は凹部）や、接続筒部１０の表面１０Ａに設ける凹部１１（又は凸部）を、点状（図１（Ａ）、（Ｂ）等参照）や長円状（図２０（Ａ）、（Ｂ）等参照）に設ける場合について説明したが、例えば、これらを帯状に設けるように構成することも可能である。
以下、いくつかの例を挙げて具体的に説明する。
【０１０５】
なお、以下では、受け側ダイス４２の内壁面４２Ａに設ける凸部４３について説明するが、これが凹部であってもよいことは前述した通りである。
また、以下では、押し込み側ダイス４１（図２（Ａ）、（Ｂ）等参照）については説明や図示を省略する。さらに、接続筒部１０の表面１０Ａに設ける凹部１１（又は凸部）についても説明や図示を省略するが、上記の実施形態の場合と同様に、それらは、ダイス４２側の凸部４３（又は凹部）に対応するように設けられる。
【０１０６】
［構成例Ａ］
例えば、図２５（Ａ）、（Ｂ）に示すように、受け側ダイス４２の内壁面４２Ａのダイス４０の軸方向（すなわちダイス４０にセットされる接続筒部１０の軸方向）に直交する方向に半円状の帯状に盛り上げて凸部４３を形成するように構成することが可能である。
そして、この場合も、図２５（Ａ）や図２６（Ａ）〜（Ｃ）に示すように、ダイス４０のうち、少なくとも隣り合うサイズの導体５１のと接続筒部１０との接続に用いられるダイス４０（以下、隣り合うサイズ用のダイス４０という。）同士で、帯状の凸部４３の数や位置等が互いに異なるように構成すれば、前述したようなダイス４０の選定間違いを的確に防止することが可能となる。
【０１０７】
なお、後述する構成例Ｂ、Ｃにおいても同様であるが、後述する構成例Ｄの変形例（後述する図３２（Ａ）、（Ｂ）参照）のように、帯状の凸部４３を、ダイス４０の軸方向に直交する方向に分断して断続的に構成することも可能である。
そして、このように受け側ダイス４２の内壁面４２Ａに帯状の凸部４３がダイス４０の軸方向に直交する方向に断続的に設けられる場合、それに対応して、接続筒部１０の表面１０Ａに設ける凹部１１（又は凸部）もダイス４０の軸方向（すなわちダイス４０にセットされる接続筒部１０の軸方向）に直交する方向に断続的に設けられる。
【０１０８】
また、図２６（Ｂ）、（Ｃ）では、ダイス４０の軸方向の中央に帯状の凸部４３が配置されているが、この場合は、押し込み側ダイス４１の押し込み部４１Ａ（図２（Ａ）、（Ｂ）等参照）により押し込まれてかしめられた際に、前述したようにその部分で圧縮率が下がってしまう等して、かしめた後の電気性能や機械性能に配慮する必要がある。
そのため、例えば、ダイス４０の軸方向の中央の帯状の凸部４３では、押し込み部４１Ａにより押し込まれる位置Ｒ（図９参照）に対応する位置には凸部４３を設けないように帯状の凸部４３を断続的に形成することで、圧縮率の低下を抑えることも可能である。
【０１０９】
［構成例Ｂ］
また、図２５（Ａ）、（Ｂ）に示したように、受け側ダイス４２の内壁面４２Ａのダイス４０の軸方向に直交する方向に、半円状の帯状の凸部４３を１本ずつ形成する代わりに、例えば、図２７に示すように、半円状の帯状の凸部４３を複数本ずつ（図２７では２本ずつ）並べて形成するように構成することも可能である。
このように構成すれば、ダイス４０の選定間違いをより的確に防止することが可能となる。なお、この場合も、図示を省略するが、隣り合うサイズ用のダイス４０同士で、複数本ずつ並べた帯状の凸部４３の位置等が互いに異なるように構成することも可能である。
【０１１０】
［構成例Ｃ］
さらに、図２８（Ａ）〜（Ｃ）に示すように、受け側ダイス４２の内壁面４２Ａのダイス４０の軸方向に直交する方向に、半円状の帯状の凸部４３を複数本ずつ（図２８では２本ずつ）並べて形成する際、並べる帯状の凸部４３の大きさを変えるように構成することも可能である。
このように構成すれば、ダイス４０の選定間違いをより的確に防止することが可能となる。なお、この場合も、図示を省略するが、隣り合うサイズ用のダイス４０同士で、複数本ずつ並べた帯状の凸部４３の位置等が互いに異なるように構成したり、各位置で凸部４３の大きさの順番を変えるように構成することも可能である。
【０１１１】
なお、構成例Ａ〜Ｃに示したように、帯状の凸部４３を半円状に形成すると、単に凸部４３の大きさを変えただけでは、隣り合うサイズ用のダイス４０同士で、図１８（Ａ）に示したような疑似係合が生じる場合があるため、図１８（Ｂ）に示した場合と同様に、構成例Ａ〜Ｃにおいても、半円状の帯状の凸部４３の頂上部分を平坦にするように構成することも可能である。
【０１１２】
また、上記の構成例Ａ〜Ｃで、凸部４３を半円状の帯状に形成する場合について説明したが、例えば図２９（Ａ）、（Ｂ）に示すように、受け側ダイス４２の内壁面４２Ａを台形状の帯状に盛り上げて凸部４３を形成するように構成することも可能であり、凸部４３を帯状に形成する際の断面形状は、必ずしも半円状でなくてもよい。
凸部４３を台形状等の帯状に形成しても、上記の構成例Ａ〜Ｃや上記の各実施形態と同様の有益な効果を得ることが可能となる。
【０１１３】
［構成例Ｄ］
また、例えば、図３０に示すように、受け側ダイス４２の内壁面４２Ａのダイス４０の軸方向の両端部を、ダイス４０の軸方向に直交する方向に帯状に盛り上げて凸部４３を形成するように構成することも可能である。
そして、図３１に示すように、両端部の帯状の凸部４３の間隔Ｌａが、セットされる接続筒部１０の面取りされていない表面１０Ａの部分の長さＬｂとほぼ等しくなるように（あるいは間隔Ｌａの方が僅かに長くなるように）構成すれば、接続筒部１０をダイス４０にセットした際に、接続筒部１０をダイス４０に安定した状態でセットすることが可能となり、ダイス４０と接続筒部１０とを容易かつ適切に位置合わせすることができる。
【０１１４】
そして、接続筒部１０の面取りされていない表面１０Ａの部分の長さＬｂは、接続筒部１０に挿入する電線・ケーブル５０の導体５１のサイズ（２２、３８、６０ｍｍ２等）によって異なる。
そのため、サイズ違いのダイス４０を用いると、接続筒部１０をダイス４０にセットした際に、受け側ダイス４２に接続筒部１０をセットできなかったり（Ｌｂ＞Ｌａの場合）、あるいはセットしても接続筒部１０が受け側ダイス４２の軸方向に動いてしまったり（Ｌｂ＜Ｌａの場合）するため、このように構成すれば、作業者が容易にサイズ違いに気づくことができ、ダイス４０の選定間違いを的確に防止することが可能となる。
【０１１５】
なお、この場合、図２９に示したように、帯状の凸部４３を、ダイス４０の軸方向の全体にわたって盛り上げて形成することも可能であるが、図３２（Ａ）、（Ｂ）に示すように、ダイス４０の軸方向に直交する方向に分断されて断続的に設けられていてもよい。
このように構成しても、帯状の凸部４３は、図２９に示した場合と全く同様に機能し、上記と同様の有益な作用効果を得ることができる。
【０１１６】
なお、本発明が上記の実施形態等に限定されず、本発明の趣旨を逸脱しない限り、適宜変更可能であることは言うまでもない。
【０１１７】
例えば、上記の各実施形態では、ダイス４０が押し込み側ダイス４１と受け側ダイス４２の２つのパーツで構成されている場合について説明したが、前述したように、ダイス４０が３つ以上のパーツで構成されていてもよい。
その場合、ダイス４０に設ける凸部４３や凹部４４は、ダイス４０を構成する各パーツのうちのいずれかのパーツに設けられていればよい。また、凸部４３や凹部４４が各パーツのうちの複数のパーツに設けられていてもよい。
【０１１８】
また、端子２０や導体接続管３０の接続筒部１０をダイス４０内にセットした際に、それらに最初に当接するパーツ（上記の各実施形態における受け側ダイス４２に相当。）に凸部４３や凹部４４が設けられていれば、ダイス４０とサイズが見合った端子２０や導体接続管３０の接続筒部１０をダイス４０内にセットした際に、接続筒部１０に設けられた凹部１１や凸部１２と、それに最初に当接する当該パーツの凸部４３や凹部４４とが自然に係合するようになるため望ましい。
【符号の説明】
【０１１９】
１０  接続筒部
１０Ａ  表面
１１  凹部
１２  凸部
２０  端子
３０  導体接続管
４０  ダイス
４１  押し込み側ダイス
４１Ａ  押し込み部
４２  受け側ダイス（ダイス）
４２Ａ  内壁面
４３  凸部
４４  凹部
５０  電線・ケーブル
５１  導体
Ｃ１０  交点
Ｃｄ  押し込み部のセンター（センター）
Ｄ  重ね代
ｄ  重ね代の半分の長さ
Ｒ  位置
【図１】
2019110104.tif 000003
【図２】
2019110104.tif 000004
【図３】
2019110104.tif 000005
【図４】
2019110104.tif 000006
【図５】
2019110104.tif 000007
【図６】
2019110104.tif 000008
【図７】
2019110104.tif 000009
【図８】
2019110104.tif 000010
【図９】
2019110104.tif 000011
【図１０】
2019110104.tif 000012
【図１１】
2019110104.tif 000013
【図１２】
2019110104.tif 000014
【図１３】
2019110104.tif 000015
【図１４】
2019110104.tif 000016
【図１５】
2019110104.tif 000017
【図１６】
2019110104.tif 000018
【図１７】
2019110104.tif 000019
【図１８】
2019110104.tif 000020
【図１９】
2019110104.tif 000021
【図２０】
2019110104.tif 000022
【図２１】
2019110104.tif 000023
【図２２】
2019110104.tif 000024
【図２３】
2019110104.tif 000025
【図２４】
2019110104.tif 000026
【図２５】
2019110104.tif 000027
【図２６】
2019110104.tif 000028
【図２７】
2019110104.tif 000029
【図２８】
2019110104.tif 000030
【図２９】
2019110104.tif 000031
【図３０】
2019110104.tif 000032
【図３１】
2019110104.tif 000033
【図３２】
2019110104.tif 000034